(57)【要約】【課題】引戸を確実に閉じ位置に保持すると共に、引戸の閉じ位置にズレが生じると、自動的に正しい閉じ位置に修正することのできる引戸構造を、簡単な構成で、かつ、低コストで提供する。【解決手段】  引戸１若しくは枠壁２に取り付けられた受け部材Ａと、枠壁若しくは引戸に取り付けられた凸部材Ｂとからなり、前記受け部材Ａは、水平方向に沿った横断面形状において、前面に向かって開口する略Ｖ字形の溝３と、該Ｖ字形溝３の背面側に配置された磁石体５とを備え、前記凸部材Ｂは、磁石体５に吸着する金属材で形成され、かつ、前記Ｖ字形溝３に嵌合する横断面略Ｖ字形の突起９を備えている構成。【選択図】図３
2013234529.tif 000002
【特許請求の範囲】
【請求項１】
引戸若しくは枠壁に取り付けられた受け部材と、
枠壁若しくは引戸に取り付けられた凸部材とからなり、
前記受け部材は、水平方向に沿った横断面形状において、前面に向かって開口する略Ｖ字形の溝と、該Ｖ字形溝の背面側に配置された磁石体とを備え、
前記凸部材は、磁石体に吸着する金属材で形成され、かつ、前記Ｖ字形溝に嵌合する横断面略Ｖ字形の突起を備えている引戸装置。
【請求項２】
前記受け部材のＶ字形溝の頂角αが、凸部材のＶ字形突起の頂角βより大きな角度で形成されている請求項１に記載の引戸構造。
【請求項３】
前記受け部材の背面側に磁石体を嵌め込むための凹部が設けられ、該凹部の開口縁部に開口部を狭くした弾性係合爪が形成され、この弾性係合爪を押し広げるようにして磁石体を凹部に押し込むことにより磁石体が凹部に装着されている請求項１または２に記載の引戸構造。
【発明の詳細な説明】
【技術分野】
【０００１】
本発明は、主として室内で使用される引戸構造に関するものである。
【背景技術】
【０００２】
レールに沿って開閉する引戸は、建具の間口や家具、クローゼットの開口部に取り付けられて広く用いられている。この引戸は、レールに沿って走行する滑車を備えた吊下げ具を介して吊下げられたり、あるいは間口上下に設けたレールに沿って滑動したりするように構成されている。
【０００３】
しかし、レールと引戸滑動部分との間にはスムースに走行させるための許容クリアランスが必要なため、引戸を閉じたときにガタツキや揺れが生じることがある。この揺れは、吊戸方式において顕著に発生する。また、引戸を急激に閉めたときに、垂直な枠壁との衝突の反動によって跳ね返り、引戸と枠壁との間に隙間ができて、密閉性を損なうことがった。
そこで従来では、例えば特許文献１に示すように、扉の前端面に出没可能な棒状の磁石体を設け、枠体側に磁石体が嵌合する凹部を形成してその奥部に吸着板を設け、引戸が近づくと磁石体が吸着板に吸着するようにしたものが提案されている。
【先行技術文献】
【特許文献】
【０００４】
【特許文献１】特開２００３−２７８４３８号公報
【発明の開示】
【発明が解決しようとする課題】
【０００５】
特許文献１の手段によれば、磁石体を受け入れる凹部が円形で形成され、磁石体も円柱状に形成されているため、両者を嵌合させるためには両者間に隙間を設ける必要がある。従って、引戸を閉じたときに、磁石の吸着力だけで引戸を固定するのは難しく、振動などにより前記の隙間分だけ引戸が揺れることがある。
また、引戸が少しでも設定位置よりずれて取り付けられたり、あるいは経年使用により閉じ位置にずれが生じると、磁石体が凹部に嵌まり込まず、その機能を発揮することができないといった大きな欠点がある。
【０００６】
そこで本発明は、上記従来課題を解決するとともに、引戸の閉じ位置に許容範囲内でずれが生じると、自動的に正しい閉じ位置に修正することのできる引戸構造を、簡単な構成で、かつ、低コストで提供することを主たる目的とするものである。
【課題を解決するための手段】
【０００７】
上記課題を解決するために本発明では次のような技術的手段を講じた。即ち、本発明の引戸構造は、引戸若しくは枠壁に取り付けられた受け部材と、枠壁若しくは引戸に取り付けられた凸部材とからなり、
前記受け部材は、水平方向に沿った横断面形状において、前面に向かって開口する略Ｖ字形の溝と、該Ｖ字形溝の背面側に配置された磁石体とを備え、前記凸部材は、磁石体に吸着する金属材で形成され、かつ、前記Ｖ字形溝に嵌合する横断面略Ｖ字形の突起を備えている構成とした。
【発明の効果】
【０００８】
本発明では上記のように構成されているので、引戸が閉じたときに、凸部材の突起が受け部材のＶ字形溝に嵌合するとともに、磁石体と突起とが吸着して引戸の閉じ姿勢を保持すると共に、引戸Ａの横揺れやガタツキを防止する。また、引戸が閉じられるときに、取付け時の不備や経年使用によって引戸の閉じ位置にズレが生じた場合、凸部材の突起が受け部材のＶ字形溝の斜面に当たってＶ字形溝の最深部にガイドされ、これにより引戸を正しい閉じ姿勢に強制的に修正することができるできるといった優れた効果がある。
【０００９】
（その他の課題を解決するための手段並びに効果）
本発明において、前記受け部材のＶ字形溝の頂角αが、凸部材のＶ字形突起の頂角βより大きな角度で形成するのがよい。
これにより、Ｖ字形溝の斜面によって凸部材の突起がガイドされる範囲が広がって、修正範囲を広くとることができる。
【００１０】
また本発明では、前記受け部材の背面側に磁石体を嵌め込むための凹部が設けられ、該凹部の開口縁部に開口部を狭くした弾性係合爪が形成され、この弾性係合爪を押し広げるようにして磁石体を凹部に押し込むことにより磁石体が凹部に装着されている構成とするのがよい。
これにより、接着剤やビスなどの固定手段を使用することなく、ワンタッチで簡単に磁石体を受け部材に取付けることができる。
【図面の簡単な説明】
【００１１】
【図１】本発明にかかる引戸構造の水平方向に沿った横断面図であって、引戸が閉じられる前段を示す。
【図２】図１同様の断面図であって、引戸が閉じられた姿勢を示す。
【図３】本発明における受け部材と凸部材の斜視図である。
【図４】本発明における凸部材の正面図である。
【発明を実施するための形態】
【００１２】
以下において、本発明の詳細をその実施の形態を示す図面に基づいて詳細に説明する。  本発明に係る引戸構造は、引戸１の前端面に取付けられた受け部材Ａと、枠壁２に取り付けられた凸部材Ｂとからなる。引戸１は、建具などの間口や家具の開口部にレール（図示外）にそって走行可能に取付けられる。図１は水平方向に沿った断面図であって、引戸１は垂直に立てられた枠壁２に向かって矢印方向に走行並びに逆走するように形成されている。
【００１３】
前記受け部材Ａは、水平面に沿った横断面形状において、前面に向かって開口する略Ｖ字形の溝３と、該Ｖ字形溝３の背面側にヨーク板４と共に装着された磁石体５とを備えている。磁石体５並びにヨーク板４は、受け部材の背面側に設けられた凹部６に強制嵌合手段により取付けられている。詳しくは、該凹部６の開口縁部に、開口部を狭くした弾性係合爪７、７が形成され、この弾性係合爪７を押し広げるようにして磁石体５並びにヨーク板４を凹部６に押し込むことにより、磁石体並びにヨーク板が凹部に装着されている。これにより、接着剤やビスなどの固定手段を使用することなく、ワンタッチで簡単に磁石体並びにヨーク板４を受け部材Ａに取付けることができる。更に受け部材Ａには、受け部材を引戸１に固着するためのビス孔８が設けられている。
【００１４】
一方、前記凸部材Ｂは、磁石体に吸着する鉄板などの金属材で形成され、前記Ｖ字形溝に嵌合する横断面略Ｖ字形の突起９を備えている。また、凸部材Ｂの表面には、凸部材Ｂを枠壁２に取付ける際の指標となるマーク１０と、固着用のビス孔１１とが設けられている。
【００１５】
本実施例において、前記受け部材ＡのＶ字形溝３の頂角αが、凸部材ＢのＶ字形突起の頂角βより大きな角度で形成されている。Ｖ字形溝の頂角αは４０〜４５度程度が好ましく、Ｖ字形突起の頂角βは２５〜３５度程度が好ましい。
【００１６】
上記した受け部材Ａは引戸１の前端面1ａに、受け部材Ａの前面と引戸Ａの前端面とが面一となるように埋め込んでビス止めして取付けられる。また凸部材Ｂは枠壁２の垂直な面で、引戸Ａが正しく閉じた位置で突起９が受け部材ＡのＶ字形溝３に嵌合するように取付けられる。
【００１７】
引戸Ａが図１の開いた位置から矢印方向に進行して図２のように閉じたときに、凸部材Ｂの突起９が受け部材ＡのＶ字形溝３に嵌合するとともに、磁石体６と突起９とが吸着して引戸の閉じ姿勢を保持すると共に、引戸Ａの横揺れやガタツキを防止する。
また、引戸Ａが閉じられるときに、取付け時の不備や経年使用によって引戸Ａの閉じ位置にズレが生じた場合、凸部材Ｂの突起９が受け部材ＡのＶ字形溝３の斜面に当たってＶ字形溝３の最深部にガイドされ、これにより引戸１を正しい閉じ姿勢に強制的に修正することができる。この場合、受け部材ＡのＶ字形溝３の頂角αが、凸部材ＢのＶ字形突起の頂角βより大きな角度で形成されているので、Ｖ字形溝３の斜面によって突起９がガイドされる範囲が広がって、修正範囲が広くなる。
【００１８】
以上、本発明の代表的な実施例について説明したが、本発明は必ずしも上記の実施例の構造のみに特定されるものでない。例えば、ズレの修正範囲が狭くなるが、受け部材ＡのＶ字形溝３の頂角αと、凸部材ＢのＶ字形突起の頂角βを、略同じ角度で形成することも可能である。その他本発明では、その目的を達成し、請求の範囲を逸脱しない範囲内で適宜修正、変更することが可能である。
【産業上の利用可能性】
【００１９】
本発明は、建具の間口や家具、クローゼットの開口部に組み付けられる引戸構造に適用することができる。
【符号の説明】
【００２０】
Ａ  受け部材
Ｂ  凸部材
１  引戸
２  枠壁
３  Ｖ字形溝
５  磁石体
６  凹部
７  弾性係合爪
９  突起
１０  マーク
【図１】
2013234529.tif 000003
【図２】
2013234529.tif 000004
【図３】
2013234529.tif 000005
【図４】
2013234529.tif 000006